(57)【要約】      （修正有）【課題】外部機器から遠隔で起動された時に迅速に所望の機能を開始できる撮像装置を提供する。【解決手段】撮像装置は、外部機器と第１の通信（Ｗｉ−Ｆｉ）を行なう第１の通信部と、外部機器と第２の通信（Ｂｌｕｅｔｏｏｔｈ（登録商標））を行なう第２の通信部と、外部機器から遠隔で起動されたときに実行される機能として、少なくとも第１の機能または第２の機能を設定する設定部と、設定された機能にしたがい撮像装置の動作を制御する制御部とを備える。第１の機能は、第１の通信部を介して外部機器へ画像データを送信しかつ外部機器から遠隔操作のための操作信号を受信する。第２の機能は、第２の通信部を介して外部機器から操作信号を受信する。制御部は、第１の機能が設定されている場合、外部機器から遠隔で起動されたときに、最初に第１の通信の接続を確立し（Ｓ４）、その後に第２の通信の接続を確立する（Ｓ７）。【選択図】図６
2019083378.tif 000002
【特許請求の範囲】
【請求項１】
外部機器から遠隔操作が可能な撮像装置であって、
前記外部機器と第１の通信を行なう第１の通信部と、
前記外部機器と第２の通信を行なう第２の通信部と、
前記外部機器から遠隔で起動されたときに実行される機能として、少なくとも第１の機能または第２の機能を設定する設定部と、
前記設定された機能にしたがい前記撮像装置の動作を制御する制御部と、を備え、
前記第１の機能は、前記第１の通信部を介して前記外部機器へ画像データを送信しかつ前記外部機器から遠隔操作のための操作信号を受信する機能であり、前記第２の機能は、前記第２の通信部を介して前記外部機器から前記操作信号を受信する機能であり、
前記制御部は、前記第１の機能が設定されている場合、前記外部機器から遠隔で起動されたときに、最初に前記第１の通信の接続を確立し、その後に前記第２の通信の接続を確立する、
撮像装置。
【請求項２】
前記制御部は、前記第２の機能が設定されている場合、前記外部機器から遠隔で起動されたときに、前記第１の通信の接続を確立せずに、前記第２の通信の接続を確立する、請求項１に記載の撮像装置。
【請求項３】
前記第２の機能において、前記制御部は、前記第１の通信部を介した前記外部機器への画像データの転送は行わず、前記第２の通信部を介して前記外部機器からシャッタ操作のための操作信号を受信する、請求項１に記載の撮像装置。
【請求項４】
前記外部機器は、当該撮像装置が前記第１の機能により送信した画像データを受信したときに、受信した画像データを用いてライブビュー表示機能を実行する、請求項１に記載の撮像装置。
【請求項５】
前記第１の通信はＷｉ−Ｆｉ規格に準拠した通信であり、前記第２の通信はＢｌｕｅｔｏｏｔｈ規格に準拠した通信である、請求項１ないし４のいずれかに記載の撮像装置。
【発明の詳細な説明】
【技術分野】
【０００１】
本開示は、他の機器から通信を介して遠隔操作可能な撮像装置に関する。
【背景技術】
【０００２】
特許文献１は、他の通信装置（例えば、スマートフォン）へライブビュー表示用の画像データを送信し、他の通信装置から制御コマンドを受信する通信装置（例えば、撮像装置）を開示する。特許文献１の通信装置は、他の通信装置との間で複数の通信経路を使用して通信を行う通信部と、通信部におけるそれぞれの通信経路に対して通信機能を割り当てる通信機能割当部と、通信部の通信状況を視認可能に表示部に表示させる表示制御部と、を具備する。この構成により、機能毎の通信経路の容易な割り当てを可能にしている。
【先行技術文献】
【特許文献】
【０００３】
【特許文献１】特開２０１６−１７４２２０号公報
【発明の概要】
【発明が解決しようとする課題】
【０００４】
本開示は、複数の通信経路を介して外部機器と通信可能な撮像装置であって、外部機器から遠隔で起動された時に迅速に所望の機能を開始できる撮像装置を提供する。
【課題を解決するための手段】
【０００５】
本開示の一態様の撮像装置は、外部機器から遠隔操作が可能な撮像装置である。撮像装置は、外部機器と第１の通信を行なう第１の通信部と、外部機器と第２の通信を行なう第２の通信部と、外部機器から遠隔で起動されたときに実行される機能として、少なくとも第１の機能または第２の機能を設定する設定部と、設定された機能にしたがい撮像装置の動作を制御する制御部と、を備える。第１の機能は、第１の通信部を介して外部機器へ画像データを送信しかつ外部機器から遠隔操作のための操作信号を受信する機能である。第２の機能は、第２の通信部を介して外部機器から操作信号を受信する機能である。制御部は、第１の機能が設定されている場合、外部機器から遠隔で起動されたときに、最初に第１の通信を確立し、その後に第２の通信を確立する。
【発明の効果】
【０００６】
本開示によれば、外部機器から遠隔で起動された時に迅速に所望の機能（第１の機能）を開始できる撮像装置を提供できる。
【図面の簡単な説明】
【０００７】
【図１】デジタルカメラとスマートフォンからなる撮像システムの構成図
【図２】デジタルカメラの電気的構成図
【図３】スマートフォンの電気的構成図
【図４】デジタルカメラにおいて表示される、遠隔操作時の起動モードを設定するためのアイコンを説明した図
【図５】スマートフォンにおいて表示される、遠隔起動を指示するためのアイコンを説明した図
【図６】遠隔操作／ライブビューモードにおけるデジタルカメラとスマートフォン間の動作シーケンスを示す図
【図７】デジタルカメラとスマートフォン間のシーケンスであって、Ｗｉ−Ｆｉ接続よりも前にＢｌｕｅｔｏｏｔｈ接続を確立する場合の動作シーケンスを示す図
【図８】シャッタリモコンモードにおけるデジタルカメラとスマートフォン間の動作シーケンスを示す図
【図９】デジタルカメラにおける遠隔起動時の処理を示すフローチャート
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【０００９】
（実施の形態１）
〔１−１．構成〕
図１は、本開示の実施の形態１にかかる撮像システムの構成を示す図である。撮像システム１０は、デジタルカメラ１００（撮像装置の一例）と、スマートフォン２００（外部機器の一例）とを含む。
【００１０】
デジタルカメラ１００とスマートフォン２００とは互いにＷｉ−Ｆｉ（登録商標）規格及びＢｌｕｅｔｏｏｔｈ（登録商標）規格に準拠した通信が可能である。デジタルカメラ１００とスマートフォン２００間の通信を利用して、例えば、デジタルカメラ１００は撮影中の画像をスマートフォン２００へリアルタイムで転送し、スマートフォン２００でライブビュー表示を行うことができる。ここで、ライブビューとは、デジタルカメラ１００で撮像された画像（動画）をリアルタイムでスマートフォン２００に表示する機能である。ユーザは、ライブビュー表示された画像を参照することで被写体の状況を確認でき、撮影画像の構図を決定することができる。また、スマートフォン２００は、デジタルカメラ１００に対して、デジタルカメラ１００を遠隔操作するための操作信号を送信することができる。すなわち、スマートフォン２００からデジタルカメラ１００を遠隔操作することができる。
【００１１】
図２は、デジタルカメラ１００の電気的構成図である。デジタルカメラ１００は、光学系１１０を介して形成された被写体像を画像センサ１１５で撮像する。画像センサ１１５は撮像した被写体像に基づき画像データ（ＲＡＷデータ）を生成する。画像処理部１２０は、撮像により生成された画像データに対して各種処理を施す。コントローラ１３５は、画像処理部１２０にて処理された画像データをメモリカード１４２に記録する。また、コントローラ１３５は、メモリカード１４２に記録された画像データを、使用者による操作部１５０の操作にしたがい液晶モニタ１３０に表示（再生）させることができる。以下、デジタルカメラ１００を構成する各構成要素を説明する。
【００１２】
光学系１１０は、フォーカスレンズ、ズームレンズ、光学式手ぶれ補正レンズ（ＯＩＳ）、絞り、シャッタ、等を含む。光学系１１０に含まれる各種レンズは、何枚から構成されるものであっても、何群から構成されるものであってもよい。
【００１３】
画像センサ１１５は、光学系１１０を介して形成された被写体像を撮像して画像データを生成する。画像センサ１１５は、所定のフレームレート（例えば、３０フレーム／秒）で新しいフレームの画像データを生成する。画像センサ１１５における、撮像データの生成タイミングおよび電子シャッタ動作は、コントローラ１３５によって制御される。なお、画像センサとして、ＣＭＯＳイメージセンサ、ＣＣＤイメージセンサ、またはＮＭＯＳイメージセンサなど、様々な種類の画像センサを用いることができる。
【００１４】
画像処理部１２０は、画像センサ１１５から出力された撮像データに対して各種の処理を施した後、メモリカード１４２に記録する。また、画像処理部１２０は、メモリカード１４２から読み出した画像データに各種の処理を施して、液晶モニタ１３０に表示するための画像を生成する。各種処理としては、ホワイトバランス補正、ガンマ補正、ＹＣ変換処理、電子ズーム処理、圧縮処理、伸張処理等が挙げられるが、これらに限定されない。画像処理部１２０は、ハードワイヤードな電子回路で構成してもよいし、プログラムを用いたマイクロコンピュータなどで構成してもよい。
【００１５】
液晶モニタ１３０は、デジタルカメラ１００の背面に備わる。液晶モニタ１３０は、画像処理部１２０にて処理された画像データに基づく画像を表示する。なお、液晶モニタに代えて、有機ＥＬモニタなど、他のモニタを用いてもよい。
【００１６】
コントローラ１３５はＣＰＵを含み、デジタルカメラ１００全体の動作を統括制御する。また、コントローラ１３５は、画像処理部１２０などと共に1つの半導体チップで構成されてもよい。図示していないが、コントローラ１３５はＲＯＭを内蔵する。ＲＯＭには、例えば、他の通信機器（例えば、スマートフォン２００）とのＷｉ-Ｆｉ通信を確立するために必要なＳＳＩＤ（Ｓｅｒｖｉｃ Ｓｅｔ Ｉｄｅｎｔｉｆｉｅｒ）、ＷＥＰキー（Ｗｉｒｅｄ Ｅｑｕｉｖａｌｅｎｔ Ｐｒｉｖａｃｙ Ｋｅｙ）等が格納されている。コントローラ１３５は、必要に応じて、ＲＯＭからＳＳＩＤ、ＷＥＰキーを読み出すことができる。また、ＲＯＭには、ＣＰＵにより実行される、オートフォーカス制御（ＡＦ制御）や通信制御に関するプログラムの他、デジタルカメラ１００全体の動作を統括制御するためのプログラムが記憶されている。また、コントローラ１３５は、ＣＰＵの作業領域として機能するＲＡＭを内蔵する。
【００１７】
バッファメモリ１２５は、画像処理部１２０やコントローラ１３５のワークメモリとして機能する記録媒体である。バッファメモリ１２５は、ＤＲＡＭ（Ｄｙｎａｍｉｃ Ｒａｎｄｏｍ Ａｃｃｅｓｓ Ｍｅｍｏｒｙ）などにより実現される。
【００１８】
カードスロット１４０はメモリカード１４２をデジタルカメラ１００に接続する手段である。カードスロット１４０は、メモリカード１４２を電気的及び機械的に接続可能である。メモリカード１４２は、内部にフラッシュメモリ等の記録素子を備えた外部記録媒体である。メモリカード１４２は、画像処理部１２０で生成される画像データなどのデータを格納できる。
【００１９】
フラッシュメモリ１４５は不揮発性の記録媒体である。
【００２０】
操作部１５０は、デジタルカメラ１００の外装に設けられた操作釦や操作レバー等のハードキーの総称であり、使用者による操作を受け付ける。操作部１５０は、例えば、レリーズ釦、モードダイヤルを含む。操作部１５０は液晶モニタ１３０に重畳して取り付けられたタッチパネルも含む。操作部１５０はユーザによる操作を受け付けると、ユーザ操作に対応した操作信号をコントローラ１３５に送信する。
【００２１】
Ｗｉ-Ｆｉモジュール１５５は、通信規格ＩＥＥＥ８０２．１１またはＷｉ−Ｆｉ規格に準拠した通信を行う通信モジュール（回路）である。デジタルカメラ１００は、Ｗｉ-Ｆｉモジュール１５５を介して、Ｗｉ-Ｆｉモジュールを搭載した他の機器と通信することができる。デジタルカメラ１００は、Ｗｉ-Ｆｉモジュール１５５を介して、他の機器と直接通信を行ってもよいし、アクセスポイント経由で通信を行ってもよい。なお、Ｗｉ-Ｆｉモジュールに代えて、他の通信規格に準拠した通信を行う通信モジュールを使用してもよい。すなわち、通信モジュールとして、比較的通信ビットレートが高く、通信エリアが数メートル以上である通信が可能な通信モジュールを使用できる。
【００２２】
Ｂｌｕｅｔｏｏｔｈモジュール１６０は、Ｂｌｕｅｔｏｏｔｈ  Ｌｏｗ  Ｅｎｅｒｇｙ（ＢＬＥ）規格に準拠した通信を行うためのモジュール（回路）である。デジタルカメラ１００は、Ｂｌｕｅｔｏｏｔｈモジュール１６０を介して他の機器とＢＬＥ規格に準拠した通信を行うことができる。
【００２３】
図３は、スマートフォン２００の電気的構成図である。スマートフォン２００は、画像処理部２０５にて生成された画像データが示す画像を液晶モニタ２１５に表示することができる。液晶モニタ２１５の表面にはタッチパネル２１０が配置されており、ユーザによるタッチ操作を受け付けることができる。また、スマートフォン２００は操作部２３０を有し、操作部２３０上で、タッチパネル２１０による操作以外の操作を行うことができる。コントローラ２２５は、Ｗｉ-Ｆｉモジュール２３５、Ｂｌｕｅｔｏｏｔｈモジュール２４０を介して他の機器と通信することができる。
【００２４】
画像処理部２０５は、フラッシュメモリ２４５から読み出した画像データに各種の処理を施して、液晶モニタ２１５に表示するための画像を生成する。各種処理としては、伸張処理等が挙げられるが、これらに限定されない。画像処理部２０５は、ハードワイヤードな電子回路で構成してもよいし、プログラムを用いたマイクロコンピュータなどで構成してもよい。
【００２５】
タッチパネル２１０は、使用者の指等の接触を検出して操作情報をコントローラ２２５に出力する入力デバイスである。タッチパネル２１０は、液晶モニタ２１５の表面に配置されている。タッチパネル２１０は、抵抗膜方式でも、静電容量方式でも、他の方式であっても構わない。
【００２６】
液晶モニタ２１５は、コントローラ２２５から指示された画面を表示する表示デバイスである。液晶モニタに換えて、有機ＥＬモニタを使用してもよい。
【００２７】
バッファメモリ２２０は、コントローラ２２５が各種処理動作を実行するために必要な情報を一時的に格納するメモリである。
【００２８】
コントローラ２２５は、スマートフォン２００を構成する各部の動作を制御する。コントローラ２２５は、画像処理部２０５、タッチパネル２１０、液晶モニタ２１５、バッファメモリ２２０、操作部２３０、Ｗｉ-Ｆｉモジュール２３５及びＢｌｕｅｔｏｏｔｈモジュール２４０に電気的に接続されている。
【００２９】
Ｗｉ-Ｆｉモジュール２３５は、通信規格ＩＥＥＥ８０２．１１に準拠した通信を行う通信モジュールである。スマートフォン２００は、Ｗｉ-Ｆｉモジュール２３５を介して、Ｗｉ-Ｆｉモジュールを搭載した他の機器と通信することができる。スマートフォン２００は、Ｗｉ-Ｆｉモジュール２３５を介して、他の機器と直接通信を行ってもよいし、アクセスポイント経由で通信を行ってもよい。
【００３０】
Ｂｌｕｅｔｏｏｔｈモジュール２４０は、Ｂｌｕｅｔｏｏｔｈ  Ｌｏｗ  Ｅｎｅｒｇｙ（ＢＬＥ）規格に準拠した通信を行うためのモジュール（回路）である。スマートフォン２００は、Ｂｌｕｅｔｏｏｔｈモジュール２４０を介して他の機器とＢｌｕｅｔｏｏｔｈ規格に準拠した通信を行うことができる。
【００３１】
フラッシュメモリ２４５は、スマートフォン２００で撮影した画像データ及びデジタルカメラ１００から転送された画像データ等を格納する。フラッシュメモリ２４５は、コントローラ２２５により実行され、後述する機能を実現するカメラ連携アプリケーションを格納している。カメラ連携アプリケーションにより、デジタルカメラ１００から画像データを受信してライブビュー表示を行ったり、デジタルカメラ１００に対する遠隔操作を行ったりすることが可能となる。
【００３２】
スマートフォン２００はさらに、電話機能、インターネット通信機能、及びカメラ機能等を備えている。
【００３３】
〔１−２．動作〕
以下、デジタルカメラ１００とスマートフォン２００における、遠隔起動時の通信接続に関する動作を説明する。
【００３４】
デジタルカメラ１００とスマートフォン２００は互いにＷｉ−Ｆｉ通信およびＢｌｕｅｔｏｏｔｈ通信を介して通信が可能である。
【００３５】
デジタルカメラ１００とスマートフォン２００間の通信接続が確立されている場合、デジタルカメラ１００は、スマートフォン２００から、Ｂｌｕｅｔｏｏｔｈ通信を介して、時間同期情報、ＧＰＳ位置信号、及びリモートシャッタ操作のための操作信号（以下「シャッタ操作信号」という）を受信することができる。また、デジタルカメラ１００は、Ｗｉ−Ｆｉ通信を介して、スマートフォン２００から、遠隔操作に関する操作信号を受信することができる。また、デジタルカメラ１００は、Ｗｉ−Ｆｉ通信を介して、スマートフォン２００へ、画像センサ１１５で撮像した画像を示す画像データをリアルタイムで送信することができる。このとき、スマートフォン２００は、デジタルカメラ１００から受信した画像データに基づきライブビュー表示を行うことができる。
【００３６】
また、デジタルカメラ１００すなわちコントローラ１３５がスリープ状態（以下「電源オフ状態」という）にある場合でも、Ｂｌｕｅｔｏｏｔｈモジュール１６０には、ＢＬＥ規格にしたがって微小な電力が供給されている。このため、Ｂｌｕｅｔｏｏｔｈモジュール１６０は、デジタルカメラ１００が電源オフ状態であっても、スマートフォン２００から、デジタルカメラ１００を起動するための起動信号を受信することができる。Ｂｌｕｅｔｏｏｔｈモジュール１６０は起動信号を受信すると、デジタルカメラ１００のコントローラ１３５を起動する。すなわち、スマートフォン２００はデジタルカメラ１００を遠隔で起動することができる。
【００３７】
本実施の形態のデジタルカメラ１００は、遠隔で起動されたときの起動モードとして「遠隔操作／ライブビューモード」と「シャッタリモコンモード」との２つのモードを有する。
【００３８】
遠隔操作／ライブビューモードは、スマートフォン２００におけるライブビュー表示と、スマートフォン２００からのデジタルカメラ１００の遠隔操作を可能とするモードである。遠隔操作／ライブビューモードは、後述する図６で示すシーケンスにより実現される。遠隔操作／ライブビューモードにおいては、デジタルカメラ１００は、スマートフォン２００との間で無線ＬＡＮ通信を優先して接続する。
【００３９】
シャッタリモコンモードは、スマートフォン２００からデジタルカメラ１００のシャッタの遠隔操作を可能とするモードである。シャッタリモコンモードは、後述する図８に示すシーケンスにより実現される。シャッタリモコンモードでは、デジタルカメラ１００からスマートフォン２００へ画像データは転送されず、スマートフォン２００はライブビュー表示を実施しない。シャッタリモコンモードにおいては、デジタルカメラ１００は、スマートフォン２００との間でＢｌｕｅｔｏｏｔｈ通信を優先して接続する。
【００４０】
デジタルカメラ１００において、遠隔起動時に、遠隔操作／ライブビューモードとシャッタリモコンモードのいずれの起動モードでデジタルカメラ１００を起動させるかを設定することができる。
【００４１】
図４は、このような設定を行うための、デジタルカメラ１００の液晶モニタ１３０に表示される設定画面である。図４に示すように設定画面は２つのアイコン１３６、１３８を含む。アイコン１３６は、デジタルカメラ１００を遠隔操作／ライブビューモードに設定するためのアイコンである。アイコン１３８は、デジタルカメラ１００をシャッタリモコンモードに設定するためのアイコンである。ユーザによりいずれかのアイコン１３６または１３８が選択されることにより、デジタルカメラ１００は遠隔操作／ライブビューモードまたはシャッタリモコンモードに設定される。
【００４２】
図５は、スマートフォン２００の液晶モニタ２１５に表示される、デジタルカメラ１００の遠隔起動を指示するためのアイコンを説明した図である。図５に示す画面は、スマートフォン２００にインストールされたカメラ連携アプリケーションの機能により表示される。アイコン２１６は、デジタルカメラ１００を遠隔操作／ライブビューモードで起動させたいときにユーザが選択するアイコンである。アイコン２１８は、デジタルカメラ１００をシャッタリモコンモードで起動させたいときにユーザが選択するアイコンである。ユーザによりアイコン２１６が選択された場合、スマートフォン２００は後述する図６に示すシーケンスで動作する。ユーザによりアイコン２１８が選択された場合、スマートフォン２００は後述する図８に示すシーケンスで動作する。
【００４３】
図４及び図５に示すように、デジタルカメラ１００とスマートフォン２００の間で、それぞれのモードに対するアイコンのデザインを共通にしている。これによってユーザの操作時の利便性を向上している。
【００４４】
以下、図６を参照し、遠隔操作／ライブビューモードでのデジタルカメラ１００及びスマートフォン２００の通信接続に関する動作を説明する。なお、以下の説明では、デジタルカメラ１００とスマートフォン２００は事前にＢｌｕｅｔｏｏｔｈ規格にしたがったペアリングがなされているとする。ペアリングとは、無関係な機器と通信しないように、互いの機器を通信相手として認証する処理のことである。また、デジタルカメラ１００は、事前に遠隔操作／ライブビューモードに設定されているとする。
【００４５】
デジタルカメラ１００が電源オフ状態にあるときに、ユーザによって、スマートフォン２００上に表示された、遠隔操作／ライブビューモード用のアイコン２１６が選択されると、スマートフォン２００のコントローラ２２５は、Ｂｌｕｅｔｏｏｔｈモジュール２４０を介してデジタルカメラ１００へ起動要求として起動信号を送信する（Ｓ１）。
【００４６】
デジタルカメラ１００のＢｌｕｅｔｏｏｔｈモジュール１６０は、スマートフォン２００から起動信号を受信すると、コントローラ１３５を起動する（Ｓ２）。これにより、コントローラ１３５は電源オフ状態から復帰し、デジタルカメラ１００全体を動作可能状態に制御する。
【００４７】
コントローラ１３５が起動すると、コントローラ１３５は、デジタルカメラ１００とスマートフォン２００の間で共通する種々のドライバを初期化する（Ｓ３）。このとき、スマートフォン２００側でも共通する種々のドライバの初期化が行われる。
【００４８】
共通するドライバの初期化が完了すると、遠隔操作／ライブビューモードにおいては、コントローラ１３５は、最初に、Ｗｉ−Ｆｉモジュール１５５を介して、スマートフォン２００との間で無線ＬＡＮ接続（すなわちＷｉ−Ｆｉ接続）を行う（Ｓ４）。このため、コントローラ１３５は、Ｗｉ−Ｆｉ接続の初期化を行い、デジタルカメラ１００とスマートフォン２００との間の無線ＬＡＮ接続（すなわちＷｉ−Ｆｉ接続）を確立する（Ｓ５）。
【００４９】
次に、コントローラ１３５は、デジタルカメラ１００とスマートフォン２００との間でＤＬＮＡ（登録商標）（Digital Living Network Alliance）接続を確立する（Ｓ６）。ＤＬＮＡ接続が確立されると、デジタルカメラ１００とスマートフォン２００の間でコマンドやデータのやり取りのための通信路が確立される。デジタルカメラ１００は、この通信路を介してスマートフォン２００にライブビュー用の画像データを転送することが可能となる。スマートフォン２００は、デジタルカメラ１００から受信した画像データを用いてライブビュー機能が可能となる。なお、画像転送は所定のアプリケーションにより実現される。
【００５０】
ＤＬＮＡ接続が確立されると、コントローラ１３５は、スマートフォン２００との間でＢｌｕｅｔｏｏｔｈ接続を行う（Ｓ７）。このため、コントローラ１３５は、Ｂｌｕｅｔｏｏｔｈ通信機能の初期化を行い、Ｂｌｕｅｔｏｏｔｈ接続を確立する（Ｓ８）。Ｂｌｕｅｔｏｏｔｈ接続が確立されると、スマートフォン２００は、Ｂｌｕｅｔｏｏｔｈ通信を介して、デジタルカメラ１００に対して、時間同期情報、ＧＰＳ位置情報、および遠隔操作のために操作信号を送信することができる。
【００５１】
このように、本実施の形態では、遠隔操作／ライブビューモードにおいて、Ｂｌｕｅｔｏｏｔｈ接続よりも前に無線ＬＡＮ接続（Ｗｉ−Ｆｉ接続）を確立している。以下にこの理由を説明する。
【００５２】
図７は、無線ＬＡＮ接続（Ｗｉ−Ｆｉ接続）よりも前にＢｌｕｅｔｏｏｔｈ接続を確立する場合のシーケンスを示した図である。一般にＢｌｕｅｔｏｏｔｈ接続の確立には時間（例えば、２０秒）を要する。このため、図７に示すように、まず、Ｂｌｕｅｔｏｏｔｈ接続を行い（Ｓ４ｂ、Ｓ５ｂ）、その後に無線ＬＡＮ接続を行った場合（Ｓ６ｂ、Ｓ７ｂ）、途中のＢｌｕｅｔｏｏｔｈ接続の確立に時間を要するため、デジタルカメラ１００の起動から無線ＬＡＮ接続の完了までに時間がかかる。スマートフォン２００におけるライブビュー機能は無線ＬＡＮ接続が確立される必要がある。このため、デジタルカメラ１００の起動から無線ＬＡＮ接続の完了までに時間がかかると、ライブビュー開始までに時間がかかるという問題がある。
【００５３】
この問題を解決するため、本実施の形態では、図６に示すように無線ＬＡＮ接続をＢｌｕｅｔｏｏｔｈ接続に先立って確立することにより、図７に示す場合と比較として、デジタルカメラ１００とスマートフォン２００間で無線ＬＡＮ接続を確立するまでに要する時間を、Ｂｌｕｅｔｏｏｔｈ接続に要する時間分だけ短縮できる。よって、デジタルカメラ１００の起動からより早期にライブビュー機能を実現することができる。
【００５４】
図８は、シャッタリモコンモードで起動する場合のデジタルカメラ１００及びスマートフォン２００の動作シーケンスを示した図である。以下、シャッタリモコンモードにおけるデジタルカメラ１００及びスマートフォン２００の通信接続に関する動作を説明する。なお、以下の説明では、デジタルカメラ１００はシャッタリモコンモードに設定されているとする。
【００５５】
デジタルカメラ１００が電源オフ状態にあるときに、ユーザによって、スマートフォン２００上に表示された、シャッタリモコンモード用のアイコン２１８が選択されると、スマートフォン２００のコントローラ２２５は、Ｂｌｕｅｔｏｏｔｈモジュール２４０を介してデジタルカメラ１００へ起動要求として起動信号を送信する（Ｓ２１）。
【００５６】
デジタルカメラ１００のＢｌｕｅｔｏｏｔｈモジュール１６０は、スマートフォン２００から起動信号を受信すると、コントローラ１３５を起動する（Ｓ２２）。これにより、コントローラ１３５は電源オフから復帰し、デジタルカメラ１００全体を動作可能状態に制御する。
【００５７】
その後、コントローラ１３５は、デジタルカメラ１００とスマートフォン２００の間で共通する種々のドライバを初期化する（Ｓ２３）。スマートフォン２００側でも共通する種々のドライバを初期化する。
【００５８】
共通するドライバの初期化が完了すると、シャッタリモコンモードにおいては、コントローラ１３５は、スマートフォン２００との間でＢｌｕｅｔｏｏｔｈ接続を行う（Ｓ２４）。すなわち、コントローラ１３５は、Ｂｌｕｅｔｏｏｔｈ接続の初期化を行い、Ｂｌｕｅｔｏｏｔｈ接続を確立する（Ｓ２５）。これ以後、スマートフォン２００は、Ｂｌｕｅｔｏｏｔｈ通信を介して、デジタルカメラ１００に対してシャッタ操作信号を送信することができ、デジタルカメラ１００はスマートフォン２００からシャッタ操作信号を受信することができる。
【００５９】
このとき、デジタルカメラ１００とスマートフォン２００間では無線ＬＡＮ通信は自動で確立されない。デジタルカメラ１００はスマートフォン２００へ画像データを転送せず、スマートフォン２００はライブビュー表示を行わない。なお、図８に示す動作の完了後に、ユーザの手動により、デジタルカメラ１００とスマートフォン２００間で無線ＬＡＮ接続が確立されてもよい。
【００６０】
図９は、デジタルカメラ１００の遠隔起動時の処理を示すフローチャートである。本処理は、デジタルカメラ１００のコントローラ１３５により、スマートフォン２００から遠隔要求を受けて起動されたときに実行される。
【００６１】
コントローラ１３５は、スマートフォン２００からの遠隔要求にしたがいＢｌｕｅｔｏｏｔｈモジュール１６０によって起動されると、起動モードの設定を確認する（Ｓ４１）。
【００６２】
起動モードが遠隔操作／ライブビューモードに設定されている場合（Ｓ４２でＹＥＳ）、コントローラ１３５は、遠隔操作／ライブビューモードで起動する（Ｓ４３）。すなわち、図６に示したシーケンスにしたがいスマートフォン２００との間で、無線ＬＡＮ接続およびＢｌｕｅｔｏｏｔｈ接続を確立する。このとき、コントローラ１３５は、画像データ転送機能をＯＮにし（Ｓ４４）、スマートフォン２００へライブビュー表示用の画像データを無線ＬＡＮ経由で転送する。また、コントローラ１３５は、無線ＬＡＮ経由で、スマートフォン２００から遠隔操作信号を受信する（Ｓ４５）。コントローラ１３５は、スマートフォン２００から受信した遠隔操作信号に応じた制御を行う。
【００６３】
一方、起動モードが遠隔操作／ライブビューモードに設定されていない場合、すなわち、リモコンシャッタモードに設定されている場合（Ｓ４２でＮＯ）、コントローラ１３５はリモコンシャッタモードで起動する（Ｓ４６）。すなわち、図８に示したシーケンスにしたがいスマートフォン２００との間で、Ｂｌｕｅｔｏｏｔｈ接続を確立する。このとき、コントローラ１３５は、スマートフォン２００との間で、自動での無線ＬＡＮ接続は行わない。コントローラ１３５は、画像データ転送機能をＯＦＦにし（Ｓ４７）、スマートフォン２００へライブビュー表示用の画像データは転送しない。また、コントローラ１３５は、Ｂｌｕｅｔｏｏｔｈ経由で、スマートフォン２００からシャッタ操作信号を受信する（Ｓ４８）。コントローラ１３５は、スマートフォン２００からシャッタ操作信号を受信すると、受信したタイミングで画像センサ１１５にて撮像された画像データをメモリカード１４２に記録する。
【００６４】
以上のように、デジタルカメラ１００は設定にしたがい、遠隔起動されたときに、遠隔操作／ライブビューモードまたはリモコンシャッタモードで起動する。特に、遠隔操作／ライブビューモードで起動する際には、最初に、無線ＬＡＮ通信（Ｗｉ−Ｆｉ通信）を確立し、その後にＢｌｕｅｔｏｏｔｈ通信を確立する。これにより、迅速に無線ＬＡＮ通信を確立でき、迅速に画像転送を可能とすることができる。すなわち、デジタルカメラ１００の遠隔起動から短い時間で、スマートフォン２００においてライブビュー機能を実現することが可能となる。また、シャッタリモコンモードでは、無線ＬＡＮ通信（Ｗｉ−Ｆｉ通信）を確立せずにＢｌｕｅｔｏｏｔｈ通信を確立する。これにより、デジタルカメラ１００の遠隔起動から短い時間でＢｌｕｅｔｏｏｔｈ通信を利用した遠隔シャッタ操作が可能になる。
【００６５】
なお、デジタルカメラ１００が電源オフ状態（スリープモード）であっても、デジタルカメラ１００のＢｌｕｅｔｏｏｔｈモジュール１６０はＢＬＥ規格にしたがいスマートフォン２００へ状態通知が可能である。状態通知として、デジタルカメラ１００において設定されている起動モード（遠隔操作／ライブビューモードまたはリモコンシャッタモード）を示す情報がスマートフォン２００に送信される。スマートフォン２００は、デジタルカメラ１００から受信した情報に基づき、デジタルカメラ１００において設定されている起動モードを判断し、デジタルカメラ１００の起動モードに応じたシーケンスで動作する。すなわち、スマートフォン２００は、デジタルカメラ１００の起動モードに応じて、図６または図８に示すシーケンスのいずれかで動作する。デジタルカメラ１００が遠隔操作／ライブビューモード及びリモコンシャッタモードのいずれにも対応していない場合、スマートフォン２００は図７に示すシーケンスで動作してもよい。
【００６６】
〔１−３．効果、等〕
以上のように本実施の形態のデジタルカメラ１００（撮像装置の一例）は、スマートフォン２００（外部機器の一例）から遠隔操作が可能な撮像装置である。デジタルカメラ１００は、スマートフォン２００とＷｉ−Ｆｉ通信（第１の通信の一例）を行なうＷｉ−Ｆｉモジュール１５５（第１の通信部の一例）と、スマートフォン２００とＢｌｕｅｔｏｏｔｈ通信（第２の通信の一例）を行なうＢｌｕｅｔｏｏｔｈモジュール１６０（第２の通信部の一例）と、スマートフォン２００から遠隔で起動されたときに実行される機能として、少なくとも遠隔操作／ライブビューモード（第１の機能の一例）またはシャッタリモコンモード（第２の機能の一例）を設定する操作部１５０（設定部の一例）と、設定された機能にしたがいデジタルカメラの動作を制御するコントローラ１３５（制御部の一例）と、を備える。
【００６７】
遠隔操作／ライブビューモードは、Ｗｉ−Ｆｉモジュール１５５を介してスマートフォン２００へ画像データを送信しかつスマートフォン２００から遠隔操作のための操作信号を受信するモード（機能）である。シャッタリモコンモードは、Ｂｌｕｅｔｏｏｔｈモジュール１６０を介してスマートフォン２００から操作信号を受信するモード（機能）である。コントローラ１３５は、遠隔操作／ライブビューモードが設定されている場合、スマートフォン２００から遠隔で起動されたときに、最初にＷｉＦｉ通信の接続を確立し（図６のＳ４）、その後にＢｌｕｅｔｏｏｔｈ通信の接続を確立する（Ｓ７）。
【００６８】
以上の構成により、迅速に無線ＬＡＮ通信を確立でき、迅速に画像転送を可能とすることができる。すなわち、デジタルカメラ１００の遠隔起動から短い時間で、スマートフォン２００においてライブビュー機能を実現することが可能となる。
【００６９】
また、コントローラ１３５は、シャッタリモコンモードが設定されている場合、スマートフォン２００から遠隔で起動されたときに、ＷｉＦｉ通信の接続の確立を行わずに、Ｂｌｕｅｔｏｏｔｈ通信の接続を確立する（図８のＳ２４）。これにより、迅速にシャッタリモコン機能を実現できる。
【００７０】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【００７１】
上記の実施の形態では、デジタルカメラ１００とスマートフォン２００とは、Ｂｌｕｅｔｏｏｔｈ通信とＷｉ−Ｆｉ通信の２種類の通信を介して接続されたが、デジタルカメラ１００とスマートフォン２００間の通信はこれらに限定されない。他の通信規格に準拠した通信を用いても良い。
【００７２】
撮像装置の例としてデジタルカメラを説明したが、これに限定されない。撮像装置として、画像撮影機能と通信機能を有する電子機器（例えば、ビデオカメラ、スマートフォン、タブレット端末等）であればよい。また、外部機器の例としてスマートフォンを説明したが、これに限定されない。撮像装置と通信可能な機器であれば、任意の機器（例えば、タブレット端末）が外部機器として使用できる。
【００７３】
デジタルカメラ１００のコントローラ１３５及びスマートフォン２００のコントローラ２２５は、ＣＰＵ、ＧＰＵ、ＭＰＵ、ＦＰＧＡ、ＡＳＩＣ等で構成することができる。
【００７４】
以上のように、本開示における技術の例示として、実施の形態を説明した。そのために、添付図面および詳細な説明を提供した。
【００７５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７６】
また、上述の実施の形態は、本開示における技術を例示するためのものであるから、特許請求の範囲またはその均等の範囲において種々の変更、置き換え、付加、省略などを行うことができる。
【産業上の利用可能性】
【００７７】
本開示は、外部機器から遠隔操作可能な撮像装置に適用できる。
【符号の説明】
【００７８】
１０  撮像システム
１００  デジタルカメラ
１１０  光学系
１１５  画像センサ
１３５  コントローラ
１３６、１３８、２１６、２１８  アイコン
１５５  Ｗｉ−Ｆｉモジュール
１６０  Ｂｌｕｅｔｏｏｔｈモジュール
２００  スマートフォン
２２５  コントローラ
２３５  Ｗｉ−Ｆｉモジュール
２４０  Ｂｌｕｅｔｏｏｔｈモジュール
【図１】
2019083378.tif 000003
【図２】
2019083378.tif 000004
【図３】
2019083378.tif 000005
【図４】
2019083378.tif 000006
【図５】
2019083378.tif 000007
【図６】
2019083378.tif 000008
【図７】
2019083378.tif 000009
【図８】
2019083378.tif 000010
【図９】
2019083378.tif 000011